(57)【要約】【課題】より簡単な構成をもって複数の接点部を異なるタイミングで作動させるようにした電磁リレーを得る。【解決手段】電磁石部１によって駆動するアーマチュア２に連動したカード４の押圧部４２に、第一の可動接点３２Ａおよび第二の可動接点３２Ｂを個別に押圧する第一の押圧部４２Ａと第二の押圧部４２Ｂとを設け、第一の押圧部４２Ａと第二の押圧部４２Ｂの長さＬ１，Ｌ２を異ならせることで、第一および第二の可動接点３２Ａ，３２Ｂがそれぞれに対応した第一および第二の固定接点３１Ａ，３１Ｂに接触するタイミングを異ならせる。【選択図】図１
2010027554.tif 000002
【特許請求の範囲】
【請求項１】
固定接点と可動接点とからなる接点部を複数備え、各接点部の可動接点が、電磁石部の作動によって往復動するアーマチュアによりカードを介して押圧されて、対応する固定接点に接離する電磁リレーにおいて、
前記カードに、前記複数の可動接点をそれぞれ押圧する複数の押圧部を設け、それら複数の押圧部の長さを相互に異ならせることで複数の接点部の閉じるタイミングを異ならせたことを特徴とする電磁リレー。
【発明の詳細な説明】
【技術分野】
【０００１】
本発明は、固定接点と可動接点からなる接点部を複数ペア備えた電磁リレーに関する。
【背景技術】
【０００２】
従来の電磁リレーとして、固定接点と可動接点からなる接点部を２組（複数）設け、各接点部の作動タイミングを異ならせたものが知られている（例えば、特許文献１参照）。
【０００３】
この特許文献１では、２組の接点部は、駆動片（カード）の移動方向に並べて配置するとともに、各接点部の可動接点をそれぞれ異なる駆動片で押圧して固定接点に接触させるようになっている。つまり、電磁石部の作動によって往復動するアーマチュアを、相互に相対移動自在に同心状に嵌合した第１可動部材と第２可動部材とで構成し、一方の接点部の可動接点を第１可動部材で駆動する一方の駆動片で押圧するとともに、他方の接点部の可動接点を第２可動部材で駆動する他方の駆動片で押圧するようになっている。
【特許文献１】実開平６−２６００７０号公報
【発明の開示】
【発明が解決しようとする課題】
【０００４】
しかしながら、上記従来の電磁リレーでは、複数の接点部にそれぞれ対応して複数の可動部材や複数の駆動片を設ける必要があり、構成が複雑化されてしまう。
【０００５】
そこで、本発明は、より簡単な構成をもって複数の接点部を異なるタイミングで作動させるようにした電磁リレーを得ることを目的とする。
【課題を解決するための手段】
【０００６】
本発明は、固定接点と可動接点とからなる接点部を複数備え、各接点部の可動接点が、電磁石部の作動によって往復動するアーマチュアによりカードを介して押圧されて、対応する固定接点に接離する電磁リレーにおいて、上記カードに、上記複数の可動接点をそれぞれ押圧する複数の押圧部を設け、それら複数の押圧部の長さを相互に異ならせることで複数の接点部の閉じるタイミングを異ならせたことを特徴とする。
【発明の効果】
【０００７】
本発明によれば、カードに長さの異なる押圧部を設けることで、比較的簡素な構成によって、複数の接点部の閉じるタイミングに差を生じさせることができる。
【発明を実施するための最良の形態】
【０００８】
以下、本発明の好適な実施形態について図面を参照しながら詳細に説明する。図１〜図３は、本実施形態にかかる電磁リレーを示している。そのうち、図１（ａ）は、電磁石部が非励磁状態にある電磁リレーの断面平面図、図１（ｂ）は、電磁石部が非励磁状態にある電磁リレーの要部を破断した正面図、図２（ａ）は、電磁石部が励磁状態にある電磁リレーの断面平面図、図２（ｂ）は、電磁石部が励磁状態にある電磁リレーの要部を破断した正面図、図３は、電磁リレーのカードを示す拡大平面図である。
【０００９】
図１，図２に示すように、本実施形態にかかる電磁リレーＲは、電磁石部１と、この電磁石部１の励磁／非励磁の切り換えによって往復動するアーマチュア２と、第一の接点部３Ａおよび第二の接点部３Ｂを備えた接点部３と、アーマチュア２に連動するカード４と、を備えて概ね構成してある。そして、これら電磁石部１、アーマチュア２、接点部３、およびカード４などからなる電磁リレーＲの駆動部分５を、ベース部６に搭載するとともに、そのベース部６とこのベース部６に嵌着されるカバー７とで密閉される内部に収納してある。
【００１０】
電磁石部１は、ベース部６の長手方向（図中左右方向）の一端側（図中左側）で高さ方向（図１（ｂ）中上下方向）に配置した鉄心１１と、この鉄心１１の外周に巻回したコイル１２と、を備えて構成してあり、コイル１２に通電されると電磁石部１の鉄心１１が励磁される。なお、電磁石部１は、鉄心１１やコイル１２以外に、図示しないヨーク（継鉄）を備えるとともに、コイル１２はコイルボビン１２ａに巻回されている。
【００１１】
アーマチュア２は、ほぼＬ字状に屈曲形成してあり、そのアーマチュア２の一端部２ａを、電磁石部１の非励磁状態で鉄心１１の一端（図中上端）面１１ａとの間に所定間隔が設けられるように配置してあり、この状態が初期状態となる。そして、アーマチュア２は、その屈曲部２ｂをベース部６に固定される支持片６１の先端部に掛止してその掛止部が回動支点となっている。なお、支持片６１はヨークであってもよい。
【００１２】
また、アーマチュア２の他端部２ｃは、支持片６１の外面に沿って配置してある。したがって、図２に示すように、電磁石部１が励磁されてアーマチュア２の一端部２ａが鉄心１１に吸引されると、アーマチュア２は屈曲部２ｂを支点として図２（ｂ）中反時計回り方向に回動して、他端部２ｃが支持片６１から離れる方向、つまり、接点部３の配置方向に移動するようになっている。
【００１３】
このとき、アーマチュア２は、支持片６１に沿って配設した付勢手段としてのヒンジばね８（図１（ｂ）参照）によって初期状態、つまり、アーマチュア２の一端部２ａが鉄心１１の一端面１１ａから離隔する方向に付勢してあり、電磁石部１の消磁でアーマチュア２を初期状態に復帰させるようになっている。
【００１４】
第一の接点部３Ａは、第一の固定接点３１Ａおよび第一の可動接点３２Ａを備えて構成してあるとともに、第二の接点部３Ｂは、第二の固定接点３１Ｂおよび第二の可動接点３２Ｂを備えて構成してある。
【００１５】
第一の接点部３Ａおよび第二の接点部３Ｂは、ベース部６の長手方向の他端側（図中右側）に位置して、各接点部３Ａ，３Ｂはベース部６の幅方向（図１（ａ）中上下方向）に並設してある。また、両接点部３Ａ，３Ｂの収納スペースＳ１と上述した電磁石部１の収納スペースＳ２との間には、カバー７のベース部６に対向した天面７ａからカード４近傍まで垂設した隔壁７１で仕切ってある。
【００１６】
第一の固定接点３１Ａおよび第二の固定接点３１Ｂは、それぞれの基端部（図１（ｂ）中下端部）をベース部６に固定した第一の固定接点板３３Ａおよび第二の固定接点板３３Ｂの先端部に片持ち状に取り付けてある。また、第一の可動接点３２Ａおよび第二の可動接点３２Ｂは、それぞれの基端部（図１（ｂ）中下端部）をベース部６に固定した第一の可動接点板３４Ａおよび第二の可動接点板３４Ｂの先端部に片持ち状に取り付けてある。このとき、第一および第二の固定接点板３３Ａ，３３Ｂならびに第一および第二の可動接点板３４Ａ，３４Ｂは、ばね力をもって撓み変形が可能な導電性の板材（例えば、ばね鋼板）で形成してあり、無負荷状態では図１に示す初期状態を保持するようになっている。
【００１７】
また、ベース部６の下側には、電磁石部１のコイル１２に繋がる端子１３と、第一および第二の固定接点板３３Ａ，３３Ｂにそれぞれ繋がる端子３５Ａ，３５Ｂと、第一および第二の可動接点板３４Ａ，３４Ｂにそれぞれ繋がる端子３６Ａ，３６Ｂとを突設してある。なお、図１（ｂ），図２（ｂ）では、上述した端子３５Ａと３５Ｂおよび端子３６Ａと３６Ｂはそれぞれが重なった状態で示してあるが、実際はベース部６の幅方向に分離した別体として設けてある。
【００１８】
そして、図１に示す初期状態では、第一の固定接点３１Ａと第一の可動接点３２Ａとを、ベース部６の長手方向に所定間隔δ１をもって対向配置してあるとともに、第二の固定接点３１Ｂと第二の可動接点３２Ｂとを、同様にベース部６の長手方向に所定間隔δ２をもって対向配置してある。本実施形態では、間隔δ１が間隔δ２よりも小さく（δ１＜δ２）なっている。
【００１９】
カード４は、合成樹脂やセラミックなどの絶縁性の絶縁材料によって形成してあり、図１（ｂ）に示すように、アーマチュア２の他端部２ｃに接点部３方向に向けて突出するように取り付けてある。
【００２０】
すなわち、カード４は、図４に示すように、アーマチュア２に取り付ける取付部４１と、接点部３方向に突出して上述の可動接点板３４Ａ，３４Ｂを押圧する押圧部４２と、を備えており、それら取付部４１と押圧部４２との間に鍔部４３を設けてある。
【００２１】
取付部４１には、アーマチュア２の幅方向両側に係合する一対の嵌合部４１ａと、それら嵌合部４１ａ間の略中央部に位置して突出する突出部４１ｂと、を設けてある。そして、図１（ａ）に示すように、取付部４１の嵌合部４１ａをアーマチュア２の幅方向両側に係合しつつ、突出部４１ｂをアーマチュア２に形成した取付穴に圧入若しくは接着剤を介して挿入することにより、カード４をアーマチュア２に固定してある。
【００２２】
押圧部４２は、第一および第二の可動接点板３４Ａ，３４Ｂを押圧することにより、それら可動接点板３４Ａ，３４Ｂを撓み変形させて、可動接点３２Ａ，３２Ｂを固定接点３１Ａ，３１Ｂに接触させるようになっている。このとき、可動接点３２Ａ，３２Ｂは、押圧部４２によって間接的に押圧されることになる。
【００２３】
ここで、本実施形態では、押圧部４２には、図３に示すように、第一の可動接点３２Ａおよび第二の可動接点３２Ｂを個別に押圧する第一の押圧部４２Ａと第二の押圧部４２Ｂとを設けてある。そして、それら第一の押圧部４２Ａと第二の押圧部４２Ｂの長さＬ１，Ｌ２を異ならせることで、第一および第二の可動接点３２Ａ，３２Ｂが対応する第一および第二の固定接点３１Ａ，３１Ｂに接触するタイミングを異ならせてある。
【００２４】
本実施形態では、第一の固定接点３１Ａと第一の可動接点３２Ａとの間の間隔δ１と、第二の固定接点３１Ｂと第二の可動接点３２Ｂとの間の間隔δ２と、の差（δ２−δ１）分だけ、第二の押圧部４２Ｂの長さＬ２を第一の押圧部４２Ａの長さＬ１よりも短くしてある。つまり、（δ２−δ１）≒（Ｌ１−Ｌ２）としてある。
【００２５】
また、第一および第二の押圧部４２Ａ，４２Ｂの先端にはそれぞれガイド突起４２Ａａ，４２Ｂａを突設してあり、それらガイド突起４２Ａａ，４２Ｂａを第一および第二の可動接点板３４Ａ，３４Ｂに形成した図外のガイド孔に摺動自在に挿通することにより、押圧部４２Ａ，４２Ｂによる可動接点板３４Ａ，３４Ｂの押圧部位がずれるのを抑制して、可動接点板３４Ａ，３４Ｂを安定的に撓み変形させることができるようになっている。
【００２６】
したがって、本実施形態にかかる電磁リレーＲでは、電磁石部１の励磁によりアーマチュア２が屈曲部２ｂを中心として回動することに伴って、カード４の第一および第二の押圧部４２Ａ，４２Ｂで第一および第二の可動接点板３４Ａ，３４Ｂを押圧する。すると、第一および第二の可動接点板３４Ａ，３４Ｂを撓み変形させつつ、まず、接点間の間隔δ１が小さい第一の固定接点３１Ａと第一の可動接点３２Ａとを接触させる。
【００２７】
その後、カード４がさらに移動すると、図２に示すように、第一の固定接点３１Ａと第一の可動接点３２Ａとが接触した状態で、第一の固定接点板３３Ａおよび第一の可動接点板３４Ａを撓み変形させつつ、接点間の隙間δ２が大きい第二の固定接点３１Ｂと第二の可動接点３２Ｂとを接触させる。
【００２８】
このように、本実施形態では第一の固定接点３１Ａと第一の可動接点３２Ａとが接触導通する（第一の接点部３ＡのＯＮ）タイミングと、第二の固定接点３１Ｂと第二の可動接点３２Ｂとが接触同数する（第二の接点部３ＢのＯＮ）タイミングと、の間に所定の時間差を設けることができる。
【００２９】
以上の構成により本実施形態の電磁リレーＲは、一つのカード４に、第一および第二の接点部３Ａ，３Ｂに対応して相互に長さＬ１，Ｌ２の異なる第一および第二の押圧部４２Ａ，４２Ｂを設けた構成となっている。そして、それら長さの異なる複数の押圧部４２Ａ，４２Ｂで、複数の接点部３Ａ，３Ｂの可動接点３２Ａ，３２Ｂを押圧することにより、複数の接点部３Ａ，３Ｂの閉じるタイミングを異ならせている。
【００３０】
したがって、本実施形態では一つのカード４で複数の接点部３Ａ，３Ｂを作動させることが可能となるため、電磁石部１によって駆動されるアーマチュア２も一つでよく、電磁リレーＲの駆動部分５の構成をより簡素なものとして得ることができる。
【００３１】
以上、本発明の好適な実施形態について説明したが、本発明は上記実施形態には限定されず種々の変形が可能である。例えば、接点部は二つに限ることなく三つ以上設けて、各接点部に対応して相互に長さの異なる押圧部を一つのカードに設けることによっても本発明を達成できる。また、複数の接点部は、それぞれが並列関係に接続される場合でもよく、また、直列関係に接続される場合でもよく、全く異なる回路の接点部であってもよい。
【図面の簡単な説明】
【００３２】
【図１】本発明の一実施形態にかかる電磁リレーの非励磁状態を示す図であって、（ａ）は断面平面図、（ｂ）要部を破断して示す正面図である。
【図２】本発明の一実施形態にかかる電磁リレーの励磁状態を示す図であって、（ａ）は断面平面図、（ｂ）要部を破断して示す正面図である。
【図３】本発明の一実施形態にかかる電磁リレーのカードを示す拡大平面図である。
【符号の説明】
【００３３】
１  電磁石部
２  アーマチュア
３  接点部
３Ａ  第一の接点部
３Ｂ  第二の接点部
３１Ａ  第一の固定接点
３１Ｂ  第二の固定接点
３２Ａ  第一の可動接点
３２Ｂ  第二の可動接点
４  カード
４２Ａ  第一の押圧部
４２Ｂ  第二の押圧部
Ｒ  電磁リレー
【図１】
2010027554.tif 000003
【図２】
2010027554.tif 000004
【図３】
2010027554.tif 000005